(57)【要約】【課題】  陳列棚上の陳列物の在庫状況の巡回監視負担を軽減する。【解決手段】  陳列物を載置する第１載置板、および、この第１載置板の後部から上方に延びる左右一対の支持部を有する下方陳列棚と、下方陳列棚の上方において、上記一対の支持部間に枢設された、少なくとも１段の上方陳列棚と、を備え、上方陳列棚は、その枢設部より前方に位置する第２載置板と、この第２載置板をその先端が上昇する方向に上記枢設部を中心に回動付勢する付勢手段とを有する。【選択図】  図１
2005046476.tif 000002
【特許請求の範囲】
【請求項１】
陳列物を載置する第１載置板、および、この第１載置板の後部から上方に延びる左右一対の支持部を有する下方陳列棚と、
前記下方陳列棚の上方において、上記一対の支持部間に枢設された、少なくとも１段の上方陳列棚と、
を備え、
前記上方陳列棚は、その枢設部より前方に位置する第２載置板と、この第２載置板をその先端が上昇する方向に上記枢設部を中心に回動付勢する付勢手段とを有することを特徴とする陳列装置。
【請求項２】
前記下方陳列棚と水平状態の前記上方陳列棚との間隔は、前記下方陳列棚に載置される前記陳列物の高さと同一である請求項１記載の陳列装置。
【請求項３】
前記上方陳列棚は、回動時にその自重により折り畳み可能である請求項１記載の陳列装置。
【請求項４】
前記第２載置板はその重心が前記枢設部より前側にある請求項１記載の陳列装置。
【請求項５】
前記付勢部は板状部材を有し、前記付勢部の重心が前記枢設部より後方にある請求項４記載の陳列装置。
【請求項６】
前記付勢部は、前記板状部材に固定された重りを有する請求項５記載の陳列装置。
【請求項７】
前記重りは、前記板状部材において前記枢設部から最も離間した端部に設けられている請求項６記載の陳列装置。
【請求項８】
前記付勢部は金属部材であって、その自重により前記上方陳列棚を回動させる請求項５記載の陳列装置。
【請求項９】
前記付勢部は、前記上方陳列棚と前記支持部に当接するトーションバネであって、その弾性力によって前記上方陳列棚を回動させる請求項１記載の陳列装置。
【請求項１０】
前記第２載置板、前記付勢部、及び、前記商品が以下の関係を満たす請求項１記載の陳列装置。
前記第２載置板の重量＜前記付勢部の重量＜前記第２載置板の重量＋前記陳列物１個の重量。
【請求項１１】
前記支持部は上下方向に延びる長穴を有し、この長穴に前記枢設部を挿入して前記上方陳列棚を枢設してなる請求項１記載の陳列装置。
【請求項１２】
前記支持部は上下方向に並んだ複数の取付穴を有し、この取付穴のいずれかに前記枢設部を挿入して前記上方陳列棚を枢設してなる請求項１記載の陳列装置。
【発明の詳細な説明】
【技術分野】
【０００１】
本発明は陳列装置に関し、とくに食料品店、スーパーマーケットの食料品売場等において飲料品等を上下複数段に陳列するための陳列装置に関する。
【背景技術】
【０００２】
従来、食料品店、スーパーマーケットの食料品売場等において飲料品等の商品を陳列する場合、陳列場所を有効に使うために、平面に複数個ならべた商品を上下方向に複数段積載して陳列することがあった。
【０００３】
このように、商品を上下方向に複数段積載して陳列する場合は、単純に商品の上にほかの商品を直接積み上げていく方法のほか、商品を梱包してあった段ボール箱の一部を切断して上側が開放された陳列トレイを作製し、このトレイに商品を配列した状態で上下方向に複数段積載して使用する方法があった。
【特許文献１】特開２００２−２４８０３４号公報
【発明の開示】
【発明が解決しようとする課題】
【０００４】
上述のように、商品の上に直接商品を積み上げていく方法では、積み上げた商品が容易に崩れやすいため、陳列状態を巡回監視する必要があった。
【０００５】
また、梱包してあった段ボール箱を利用した方法では、商品の上に直接商品を積み上げる方法ほど容易に商品が崩れることはないが、最上段の商品がなくなったときにその段のトレイを除去する必要があるため、やはり陳列状態を巡回監視しなければならなかった。また、段ボールを用いて陳列しているため、清潔感に欠けるところがあった。
【課題を解決するための手段】
【０００６】
上記問題点を解決するために、本発明の陳列装置においては、陳列物を載置する第１載置板、および、この第１載置板の後部から上方に延びる左右一対の支持部を有する下方陳列棚と、下方陳列棚の上方において、上記一対の支持部間に枢設された、少なくとも１段の上方陳列棚と、を備え、上方陳列棚は、その枢設部より前方に位置する第２載置板と、この第２載置板をその先端が上昇する方向に上記枢設部を中心に回動付勢する付勢手段とを有することを特徴としている。
【０００７】
下方陳列棚と水平状態の上方陳列棚との間隔は、下方陳列棚に載置される陳列物の高さと同一であることが好ましい。
【０００８】
上方陳列棚は、回動時にその自重により折り畳み可能である。
【０００９】
第２載置板はその重心が枢設部より前側にあることが好ましい。
【００１０】
付勢部は板状部材を有し、付勢部の重心が枢設部より後方にあることが好ましく、板状部材に重りを固定することにより任意の位置に重心を設定できる。さらに、重りは、板状部材において枢設部から最も離間した端部に設けられていると、モーメントを大きくすることができる
【００１１】
付勢部を金属部材で構成すると、その自重により上方陳列棚を回動させることができる。
【００１２】
付勢部を、上方陳列棚と支持部に当接するトーションバネとすると、その弾性力によって上方陳列棚を回動させることができるため好ましい。
【００１３】
第２載置板、付勢部、及び、商品が「第２載置板の重量＜付勢部の重量＜第２載置板の重量＋商品１個の重量」の関係を満たすことが好ましい。
【００１４】
支持部に上下方向に延びる長穴又は上下方向に並んだ複数の取付穴を設け、これらに枢設部を挿入して上方陳列棚を枢設すると、上方陳列棚の高さを任意に設定できる。
【発明の効果】
【００１５】
本発明によると、複数の陳列棚を有する陳列装置の最下段以外の陳列棚は、その上から陳列物がすべて取り除かれると自動的に回動してその下の段の陳列棚の上方を開放することができるため、陳列装置を巡回監視する負担を軽減することができる。また、梱包用の段ボール箱以外の材料で作製することによって、清潔感を保つことができる。さらに、耐久性の高い材料で作製することによって長期間にわたって使用することができる。
【発明を実施するための最良の形態】
【００１６】
以下に、陳列棚が上下２段の場合の本発明に係る実施形態を図面を参照しつつ詳しく説明するが、本発明は陳列棚の数が３以上になる場合にも適用することができる。
【００１７】
本実施形態にかかる陳列装置１０は、図１に示すように、食料品店、スーパーマーケットの食料品売場等において、平面上に前後左右に配列された飲料品等の商品（陳列物）を上下に積み上げて陳列するものであって、下段陳列棚（下方陳列棚）２０、上段陳列棚（上方陳列棚）４０を有する。
【００１８】
下段陳列棚２０は、略矩形の載置板（第１載置板）２１と、載置板２１の後方の左右両端において上方に延びる一対の支持部２２、２３とを有する。ここで、前後方向とは陳列装置１０を使用するときに顧客に近い側（手前側）を前、遠い側（奥側）を後ろとする方向であって図１の矢印Ａで示され、上下方向とは鉛直方向であって図１の矢印Ｂで示され、左右方向とは顧客が陳列装置１０の前に立ったときの左右方向であって図１の矢印Ｃで示される。
【００１９】
載置板２１は、その上に商品が前後左右に配列載置される略矩形の板状部材である。その左右の両辺及び前辺には商品を保持するための規制板２４、２５、２９が載置板２１に垂直に固定されている。さらに、支持部２２、２３の後端面にはそれらをつなぐように、商品を保持するための規制板３０が固定されている。この載置板２１は、例えば厚紙、プラスチックなどによって軽量、安価かつ耐久性の高い板状部材として形成することができる。このように、商品運送用の段ボール箱とは別個の材料に載置されているため、顧客に清潔な印象を与えることができる。また、載置板２１の上面には商品の配置位置（前後方向３個×左右方向４個）を示すマーク２６が印刷されており、このマーク２６に合わせることにより商品を容易に配置することができる。
【００２０】
なお、載置板２１にプラスチックを用いたり、厚紙を用いた載置板２１の表面に耐水性のコーティングを施すと、商品表面の結露によって載置板２１が傷むことが少なくなるので好ましい。また、例えばプラスチックのような耐久性の高い材料で作製することによって、いったん陳列された商品がすべて売り切れた後に新たに商品を陳列し直すことを繰り返して、長期間にわたって使用することができる。さらに、載置板２１の上面に商品の大きさに合わせた配置位置を示すシールを張り付けることとすると、１つの陳列装置１０で多様な商品に対応することができる。
【００２１】
支持部２２、２３は、載置板２１の上方に配置される上段陳列棚４０を回動可能に支える上方に延びる略長方形の板状部材である。図１、図２に示すように、支持部２２、２３の上端部にはピン３１、３２を挿入可能な取付穴２７、２８がそれぞれ設けられている。この支持部２２、２３は、例えば厚紙、プラスチックなどによって軽量、安価かつ耐久性の高い板状部材として形成することができる。
【００２２】
次に、上段陳列棚４０について説明する。図１及び図２に示すように、上段陳列棚４０は、支持部２２、２３に枢設される一対の回動中心部５０、５１と、回動中心部５０、５１に設けた取付穴５２、５３より重心が前方にある略矩形の載置板（第２載置板）４１と、重心が取付穴５２、５３の後方にある加重部（付勢部）６０とを有する。
【００２３】
載置板４１は、その上に商品が前後左右に配列載置され、載置板２１と左右方向の幅が同一の矩形の板状部材である。この載置板４１は、前後方向中央において左右方向に延び、断面が上に開くＶ字状の折り曲げ溝４８によって、前方板部４２、後方板部４３に区分けされている。このため、載置板４１は、折り曲げ溝４８を中心にして折り曲げ可能であり、特に、折り曲げ線４８の上に開くＶ字の断面形状のため、前方板部４２、後方板部４３の下面が互いに接触するまで折り曲げ可能である。
【００２４】
後方板部４３の左右の両辺及び後方の一辺には、商品を保持するための規制板４４、４５、４７が後方板部４３に垂直に固定されている。図２には示されていないが、前方板部４２の左右両辺及び前方の一辺にも同様の規制板を設けると前方板部４２上に配置された商品の保持が確実になるため好ましい。この載置板４１は、例えば厚紙、プラスチックなどによって軽量、安価かつ耐久性の高い板状部材として形成することができる。このように、商品運送用の段ボール箱とは別個の材料に載置されているため、顧客に清潔な印象を与えることができる。また、載置板４１の上面には商品の配置位置（前後方向３個×左右方向４個）を示すマーク４６が印刷されており、このマーク２６に合わせることにより商品を容易に配置することができる。
【００２５】
また、載置板４１にプラスチックを用いたり、厚紙を用いた載置板２１の表面に耐水性のコーティングを施すと、商品表面の結露によって載置板４１が傷むことが少なくなるので好ましい。また、載置板４１の上面に商品の大きさに合わせた配置位置を示すシールを張り付けることとすると、１つの陳列装置１０で多様な商品に対応することができる。
【００２６】
規制板４４、４５の外側面４４ａ、４５ａそれぞれの後方端部には、支持部２２、２３に枢設される略矩形の板状部材である回動中心部５０、５１が接着固定されている。この回動中心部５０、５１は、例えば厚紙、プラスチックなどによって軽量、安価かつ耐久性の高い板状部材として形成することができ、その下側先端部にはピン（枢設部）３１、３２を回動可能に挿入可能な取付穴５２、５３が設けられている。回動中心部５０、５１は、取付穴２７、２８にそれぞれ重ねられ、取付穴５２及び取付穴２７にピン３１を、取付穴５３及び取付穴２８にピン３２を回動可能に挿入し、それぞれナット３３、３４に抜け止められている。このため、回動中心部５０、５１に固定された載置板４１はピン３１、３２を軸として、図１の矢印Ｄ又は矢印Ｅに示す方向に回動可能となる。
【００２７】
支持部２２、２３に枢設された載置板４１の下面４１ｂと載置板２１の上面２１ａとの距離は、載置板２１及び載置板４１がともに水平の姿勢にあるとき、載置板２１に載置される商品の高さと同一となるようにしてある。このため、載置板２１に商品を配置した状態で載置板４１を反時計方向（図１の矢印Ｄで示す方向）に回動すると載置板４１は水平な状態でその商品に接触する。
【００２８】
載置板４１は、その上に商品が載置されているか否かに関わらず、取付穴５２、５３より前方に、すなわち枢設部として取付穴５２、５３に挿入されたピン３１、３２より前方に、重心が位置するように回動中心部５０に固定されている。
【００２９】
載置板４１の後方には略矩形の板状部材からなる加重部６０が配置されている。加重部６０はその上面６０ｃが上面４３ｃと同一面を形成するように前方板部４２の後方辺に接着固定されている。この加重部６０は、例えば厚紙、プラスチックなどによって軽量、安価かつ耐久性の高い板状部材として形成することができる。もちろん、前方板部４２及び加重部６０を一枚の板で構成してその上に規制板４７を垂直に固定してもよい。
【００３０】
加重部６０の後方辺の中央部には、上面６０ｃとの間に板状の重り６１を保持するための加重部６０と同一材料からなる押さえ板６２が設けられている。ねじ６３により、重り６１を介して押さえ板６２を加重部６０に固定することによって、重り６１は加重部６０の後方端部に保持される。重り６１は、例えば金属を矩形の板状に形成したものを用いることができる。また、加重部６０は、取付穴５２、５３より後方に、すなわち枢設部として取付穴５２、５３に挿入されたピン３１、３２より後方に、重心が位置するように配置されている。
【００３１】
加重部６０の重量は、載置板４１の重量＜加重部６０の重量＜載置板４１の重量＋商品１個の重量  という関係を満たすように設定してある。このように設定することによって、載置板４１上に商品が載置されていないときは加重部６０の重量によって上段陳列棚４０は取付穴５２及び５３を中心として自動的に時計方向（図１の矢印Ｅで示す方向）に回動し、このとき前方板部４２の自重により載置板４１は折り曲げ溝４８で折れ曲がるため、上下方向の収納スペースをコンパクトにすることができる。したがって、載置板４１上の商品がすべて取り除かれると、自動的に上段陳列棚４０が回動して加重部６０が鉛直下向きとなりかつ載置板４１は折り畳まれた状態で鉛直上向きとなって載置板２１の上方が開放されるため、顧客は容易に載置板２１上の商品を手に取ることができる。一方、載置板４１上に商品を載せるときは、上段陳列棚４０を反時計方向に回動させる。載置板２１上に商品が並べられているときに上段陳列棚４０を反時計方向に回動させると、載置板４１は水平な状態で載置板２１上の商品に当たって回動を停止する。
【００３２】
載置板４１上に商品が載置されていないときの上段陳列棚４０の時計方向の回動をより確実かつスムーズに行うためには、押さえ板６２を取付穴５２、５３から長い距離をおいて離間させるとモーメントが大きくなるため好ましい。また、取付穴５２、５３より後方に加重部６０の重心が位置すれば、重り６１、押さえ板６２は設けずに、加重部６０自体を重量の大きな材質、例えば金属で構成してもよい。この場合は、加重部６０は必ずしも板状部材とする必要はなく、例えば円柱状部材とすると加重部６０が後方に延出する量を小さくできるため省スペースを実現できる。
【００３３】
また、上面２１ａ、載置板４１の上面４１ａ、下面４１ｂに広告、品質表示、価格表示等を印刷、または、貼り付けることもできる。
【００３４】
つづいて、陳列装置１０の使用方法について、図１〜図４を参照しつつ説明する。
商品の陳列は、まず陳列装置１０を商品の売場の所定位置に前方が顧客側に向くように配置し、次に、載置板２１の上に商品（陳列物）７０を配置した後に、載置板４１の上に商品（陳列物）７１を配置することにより行う。初期状態では載置板４１上には商品７１は置かれておらず、上段陳列棚４０は加重部６０を鉛直下方、載置板４１を鉛直上方に向けた状態となっている。このため、載置板２１の上方は開放されており、載置板２１の所定位置に商品７０を順次配置することができる。載置板２１上への商品７０の配列が終了すると、載置板４１及び加重部６０が水平となるように上段陳列棚４０を回動させて、載置板４１を手で押さえつつ商品７１を載置板４１上に載せる。この状態で載置板４１上に商品７１を１個でも載せると、載置板４１の重量と商品７１一個の重量の合計が加重部６０の重量より大きくなるため、載置板４１は下方に付勢され、載置板２１上に配置された同一の高さの複数の商品７０の上面７０ａにより支持される。
【００３５】
陳列後は、顧客が載置板４１上の商品７１を順次購入して取り除かれていき、載置板４１上の最後に１個残った商品７１が取り除かれると載置板４１と加重部６０の重量の関係（載置板４１の重量＜加重部６０の重量）から、上段陳列棚４０は取付穴５２、５３を中心にして時計方向に自動的に回動を開始し、加重部６０が鉛直下方、載置板４１が鉛直上方を向く状態で回動が停止する（図４）。このとき、前方板部４２の自重により載置板４１は折り曲げ溝４８で折れ曲がっている（図４）。すると、載置板２１の上方が開放された状態となるため、顧客は載置板２１上の商品７０を容易に手に取ることができるようになる。このように、載置板４１上に１個でも商品７１が残っていれば載置板４１は水平に保持され、かつ、載置板４１上の商品７１がすべて取り除かれると自動的に上段陳列棚４０が回動して退避するため、従来のように上段の陳列棚を取り除くために巡回監視する必要がなくなる。
【００３６】
以下に変形例について説明する。
上記実施形態の取付穴２７、２８に代えて、図５に示すような支持部２２、２３の中央から先端部にかけて延びる長穴８０、８１を設け、かつ、支持部２２、２３を外側から回動中心部５０、５１に枢設可能となるように載置板２１の左右方向の長さを大きくしてもよい。このように構成すると、ピン３１、３２を長穴８０、８１内の任意の位置に配置することができるため、商品の高さに合わせて載置板２１に対する載置板４１の位置を変更することができる。
【００３７】
取付穴２７、２８に代えて、図６に示すように、支持部２２、２３に上下方向に複数の取付穴１００を設けても、ピン３１、３２を支持部２２、２３上の任意の位置に配置することができるため、商品の高さに合わせて載置板２１に対する載置板４１の位置を変更することができる。
【００３８】
載置板４１の重心が取付穴５２、５３より前方にあれば、回動中心部５０、５１を設けずに、規制板４４、４５に直接取付穴５２、５３を設けてもよい。この場合は、規制板４４と４５の間隔よりも支持部２２と支持部２３の間隔を大きく設定し、ピン３１、３２を取付穴２７、２８側から新たに設けた取付穴５２、５３側へ挿入することが好ましい。
【００３９】
加重部６０の重心が取付穴５２、５３より後方にあれば、加重部６０に直接取付穴５２、５３を設けてもよい。この場合は、加重部６０の左右方向の幅よりも支持部２２と支持部２３の間隔を大きく設定し、ピン３１、３２を取付穴２７、２８側から新たに設けた取付穴５２、５３側へ挿入することが好ましい。
【００４０】
上記実施形態の加重部６０に代えて、図７に示すようなバネ９０を付勢部として用いてもよい。バネ９０は、一端が下面４１ｂに当接し、支持部２２及び／又は支持部２３の前方面２２ａ、２３ａに当接し、ピン３１及び／又はピン３２に弾性変形可能に支持されたトーションバネである。このバネ９０は、載置板４１上に商品が１個でも載置されていると載置板４１を水平以上には付勢することはできないが、載置板４１上に商品が載置されていない状態では、載置板４１を上方に押し上げるのに十分な弾性力を有するものとしている。別言すれば、載置板４１にはたらく重力＜バネ９０の弾性力＜商品７１が１個載った載置板４１にはたらく重力、という関係を満たすようにバネ９０の弾性力が設定されている。このように構成すると、後方に延出する加重部６０が不要となるため、その分だけ省スペース化を図ることができる。
【００４１】
折り曲げ溝４８に代えて、図７に示すように、載置板４１の前後方向中央で前方板部４２と後方板部４３に分離し、かつ、前方板部４２の後方両端部に左右方向において外方に突出するピン４２ｄ、４２ｅを設け、後方板部４３の前方両端部にピン４２ｄ、４２ｅを内部に枢着可能なピン受容部４３ｄ、４３ｅを設けると、前方板部４２が後方板部４３に対して折り曲げ可能となる。
【００４２】
本発明は、陳列棚の数が３以上の場合にも適用することができる。陳列棚の数が３の場合は、例えば図９に示すような構成とすることができる。この場合は、上記実施形態における回動中心部５０、５１に代えて、より上下方向に延びた回動中心部１２２、１２３を用いる。この回動中心部１２２、１２３に、上段陳列棚４０と同様に載置板１２１と加重部１３０を備える陳列棚（上方陳列棚）１２０を枢設することによって陳列棚の数が３の陳列装置を構成することができる。
【００４３】
陳列棚の数を３以上とする場合、上記実施形態の支持部２２、２３を上方向にさらに延出して、上段陳列棚４０のさらに上方に上段陳列棚４０と同様の構成の陳列棚を、上段陳列棚４０と同様の方法で支持部２２、２３に対して枢設することによって実現することもできる。
【００４４】
本発明について上記実施形態を参照しつつ説明したが、本発明は上記実施形態に限定されるものではなく、改良の目的または本発明の思想の範囲内において改良または変更が可能である。
【図面の簡単な説明】
【００４５】
【図１】本発明の実施形態に係る陳列装置の構成を示す斜視図である。
【図２】本発明の実施形態に係る陳列装置の構成を示す平面図である。
【図３】本発明の実施形態に係る陳列装置に商品が載置された状態を示す側面図である。
【図４】本発明の実施形態に係る陳列装置の上側陳列棚が回動する状態を示す側面図である。
【図５】本発明の実施形態の変形例に係る陳列装置の部分側面図である。
【図６】本発明の実施形態の変形例に係る陳列装置の部分側面図である。
【図７】本発明の実施形態の変形例に係る陳列装置の部分側面図である。
【図８】本発明の実施形態の変形例に係る陳列装置の構成を示す斜視図である。
【図９】本発明の実施形態の変形例に係る陳列装置の構成を示す斜視図である。
【符号の説明】
【００４６】
１０    陳列装置
２０    下段陳列棚（下方陳列棚）
２１    載置板（第１載置板）
２２    支持部
２３    支持部
３１    ピン（枢設部）
３２    ピン（枢設部）
４０    上段陳列棚（上方陳列棚）
４１    載置板（第２載置板）
６０    加重部（付勢部）
７０    商品（陳列物）
７１    商品（陳列物）
９０    コイル（付勢部）
【図１】
2005046476.tif 000003
【図２】
2005046476.tif 000004
【図３】
2005046476.tif 000005
【図４】
2005046476.tif 000006
【図５】
2005046476.tif 000007
【図６】
2005046476.tif 000008
【図７】
2005046476.tif 000009
【図８】
2005046476.tif 000010
【図９】
2005046476.tif 000011